(57)【要約】時分割デュプレクスにおけるアクノレッジメント・バンドリングのための、伝送ブロック欠陥に基づく早期終了のための方法、装置、および製造物品が開示される。１つの実施形態では、通信デバイスを動作させる方法が提供される。この実施形態では、通信デバイスは、サブフレームのバンドルの一部であるダウンリンク・サブフレームを復号する。通信デバイスは、サブフレームにおけるＣＲＣ失敗を検出すると、もしも存在するのであれば、バンドル内に少なくとも１つの別のサブフレームの復号を禁止する。本要約は、開示された主題を読者が直ちに確認できるようにする要約要件規則に準拠した唯一の目的のために提供される。したがって、特許請求の範囲のスコープまたは意味を解釈または制限するために使用されるべきではないことが理解されるべきである。
2013515450.tif 000002
【特許請求の範囲】
【請求項１】
無線通信システムにおいて動作可能な装置であって、
ラジオ・フレームの複数のダウンリンク・サブフレームを含むバンドルに含まれるダウンリンク・サブフレームを復号する手段と、
前記ダウンリンク・サブフレームの巡回冗長検査（ＣＲＣ）失敗を検出する手段と、
前記ダウンリンク・サブフレームのＣＲＣ失敗が検出されると、もしも存在するのであれば、アップリンク・サブフレームの前に前記バンドルに含まれる少なくとも１つの後のダウンリンク・サブフレームの復号を禁止する手段と、
前記複数のダウンリンク・サブフレームのために、前記アップリンク・サブフレームを介して、単一のＣＲＣ失敗をレポートする手段と、
を備える装置。
【請求項２】
前記ダウンリンク・サブフレームのＣＲＣが合格したことが検出されると、もしも存在するのであれば、前記バンドルにおける後のダウンリンク・サブフレームを復号する手段、をさらに備える請求項１に記載の装置。
【請求項３】
前記ダウンリンク・サブフレームのＣＲＣが合格したことと、前記バンドルにおける後のダウンリンク・サブフレームが無いこととの検出がなされると、前記複数のダウンリンク・サブフレームのために、前記アップリンク・サブフレームを介して、単一のＣＲＣ合格をレポートする手段をさらに備える請求項１に記載の装置。
【請求項４】
前記単一のＣＲＣ失敗をレポートすることに応じて、前記バンドルの再送信の復号が、前記複数のダウンリンク・サブフレームからの最初のダウンリンク・サブフレームにおいて始まる、請求項１に記載の装置。
【請求項５】
前記単一のＣＲＣ失敗をレポートすることに応じて、前記バンドルの再送信の復号が、以前にＣＲＣに失敗したことを検出された前記複数のダウンリンク・サブフレームからのダウンリンク・サブフレームにおいて始まる、請求項１に記載の装置。
【請求項６】
無線通信システムにおいて使用される方法であって、
ラジオ・フレームからの複数のダウンリンク・サブフレームを含むバンドルに含まれるダウンリンク・サブフレームを復号することと、
前記ダウンリンク・サブフレームの巡回冗長検査（ＣＲＣ）失敗を検出することと、
前記ダウンリンク・サブフレームのＣＲＣ失敗が検出されると、もしも存在するのであれば、アップリンク・サブフレームの前に前記バンドルに含まれる少なくとも１つの後のダウンリンク・サブフレームの復号を禁止することと、
前記複数のダウンリンク・サブフレームのために、前記アップリンク・サブフレームを介して、単一のＣＲＣ失敗をレポートすることと、
を備える方法。
【請求項７】
サブフレームが正しく復号されたかを判定すること、をさらに備える請求項６に記載の方法。
【請求項８】
前記ダウンリンク・サブフレームのＣＲＣが合格したことが検出されると、もしも存在するのであれば、前記バンドルにおける後のダウンリンク・サブフレームを復号すること、をさらに備える請求項６に記載の方法。
【請求項９】
前記ダウンリンク・サブフレームのＣＲＣが合格したことと、前記バンドルにおける後のダウンリンク・サブフレームが無いこととの検出がなされると、前記複数のダウンリンク・サブフレームのために、前記アップリンク・サブフレームを介して、単一のＣＲＣ合格をレポートすること、をさらに備える請求項６に記載の方法。
【請求項１０】
前記単一のＣＲＣ失敗をレポートすることに応じて、前記バンドルの再送信の復号が、前記複数のダウンリンク・サブフレームからの最初のダウンリンク・サブフレームにおいて始まる、請求項６に記載の方法。
【請求項１１】
前記単一のＣＲＣ失敗をレポートすることに応じて、前記バンドルの再送信の復号が、前記ＣＲＣに以前失敗したと検出された前記複数のダウンリンク・サブフレームからのダウンリンク・サブフレームにおいて始まる、請求項６に記載の方法。
【請求項１２】
請求項６に記載の方法を実行するように構成された電子デバイス。
【請求項１３】
機械読取可能な媒体であって、
機械によって実行された場合、前記機械に対して、
ラジオ・フレームからの複数のダウンリンク・サブフレームを含むバンドルに含まれるダウンリンク・サブフレームを復号することと、
前記ダウンリンク・サブフレームの巡回冗長検査（ＣＲＣ）失敗を検出することと、
前記ダウンリンク・サブフレームのＣＲＣ失敗が検出されると、もしも存在するのであれば、アップリンク・サブフレームの前に前記バンドルに含まれる少なくとも１つの後のダウンリンク・サブフレームの復号を禁止することと、
前記複数のダウンリンク・サブフレームのために、前記アップリンク・サブフレームを介して、単一のＣＲＣ失敗をレポートすることと、
を含む動作を実行させるための命令群を備える、機械読取可能な媒体。
【請求項１４】
前記機械によって実行された場合、前記機械に対して、
前記ダウンリンク・サブフレームのＣＲＣが合格したことが検出されると、もしも存在するのであれば、前記バンドルにおける後のダウンリンク・サブフレームを復号すること、
を含む動作を実行させるための命令群をさらに備える、請求項１３に記載の機械読取可能な媒体。
【請求項１５】
前記機械によって実行された場合、前記機械に対して、
前記ダウンリンク・サブフレームのＣＲＣが合格したことと、前記バンドルにおける後のダウンリンク・サブフレームが無いこととの検出がなされると、前記複数のダウンリンク・サブフレームのために、前記アップリンク・サブフレームを介して、単一のＣＲＣ合格をレポートすること、
を含む動作を実行させるための命令群をさらに備える、請求項１３に記載の機械読取可能な媒体。
【請求項１６】
前記単一のＣＲＣ失敗をレポートすることに応じて、前記バンドルの再送信の復号が、前記複数のダウンリンク・サブフレームからの最初のダウンリンク・サブフレームにおいて始まる、請求項１３に記載の機械読取可能な媒体。
【請求項１７】
前記単一のＣＲＣ失敗をレポートすることに応じて、前記バンドルの再送信の復号が、前記ＣＲＣに以前失敗したと検出された前記複数のダウンリンク・サブフレームからのダウンリンク・サブフレームにおいて始まる、請求項１３に記載の機械読取可能な媒体。
【請求項１８】
無線通信システムにおいて動作可能な装置であって、
ラジオ・フレームからの複数のダウンリンク・サブフレームを含むバンドルに含まれるダウンリンク・サブフレームを復号することと、
前記ダウンリンク・サブフレームの巡回冗長検査（ＣＲＣ）失敗を検出することと、
前記ダウンリンク・サブフレームのＣＲＣ失敗が検出されると、もしも存在するのであれば、アップリンク・サブフレームの前に前記バンドルに含まれる少なくとも１つの後のダウンリンク・サブフレームの復号を禁止することと、
前記複数のダウンリンク・サブフレームのために、前記アップリンク・サブフレームを介して、単一のＣＲＣ失敗をレポートすることと、
のために構成されたプロセッサと、
前記プロセッサに接続され、データを格納するためのメモリと、
を備える装置。
【請求項１９】
前記ダウンリンク・サブフレームのＣＲＣが合格したことが検出されると、もしも存在するのであれば、前記バンドルにおける後のダウンリンク・サブフレームを復号すること、をさらに備える請求項１８に記載の装置。
【請求項２０】
前記ダウンリンク・サブフレームのＣＲＣが合格したことと、前記バンドルにおける後のダウンリンク・サブフレームが無いこととの検出がなされると、前記複数のダウンリンク・サブフレームのために、前記アップリンク・サブフレームを介して、単一のＣＲＣ合格をレポートすること、をさらに備える請求項１８に記載の装置。
【請求項２１】
前記単一のＣＲＣ失敗をレポートすることに応じて、前記バンドルの再送信の復号が、前記複数のダウンリンク・サブフレームからの最初のダウンリンク・サブフレームにおいて始まる、請求項１８に記載の装置。
【請求項２２】
前記単一のＣＲＣ失敗をレポートすることに応じて、前記バンドルの再送信の復号が、前記ＣＲＣに以前失敗したと検出された前記複数のダウンリンク・サブフレームからのダウンリンク・サブフレームにおいて始まる、請求項１８に記載の装置。
【発明の詳細な説明】
【関連出願に対する相互参照】
【０００１】
本特許出願は、「時分割デュプレクスにおけるアクノレッジメント・バンドリングのための伝送ブロック欠陥に基づく早期終了」（Early Termination Based on Transport Block Fail for Acknowledgment Bundling in Time Division Duplex）と題され２００９年１２月２１日に出願された米国仮特許出願６１／２８８，７９５に対する優先権を主張する。この米国仮特許出願の全体は、本明細書において参照によって組み込まれている。
【技術分野】
【０００２】
本開示は、一般に、通信システムに関し、さらに詳しくは、時分割デュプレクスにおけるアクノレッジメント・バンドリングのための伝送ブロック欠陥に基づく早期終了に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【０００５】
一般に、無線多元接続通信システムは、複数の無線端末のための通信を同時にサポートすることができる。端末はおのおのの、順方向リンクおよび逆方向リンクによる送信を介して１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力、複数入力単一出力、あるいは、複数入力複数出力（ＭＩＭＯ）システムによって確立されうる。
【０００６】
ＭＩＭＯシステムは、データ送信のために、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００７】
ＭＩＭＯシステムは、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【発明の概要】
【０００８】
さまざまな実施形態では、受信したサブフレームのＣＲＣ失敗が検出されると、後のサブフレームの復号が停止され、完全なバンドルについて１つの失敗通知がレポートされる、無線通信のための方法、装置、およびコンピュータ・プログラム製品が提供される。
【０００９】
提供される方法の１つの実施形態では、無線通信デバイスは、バンドルされたサブフレームのセットを受信する。無線通信デバイスは、このセットからのサブフレームを復号し、ＣＲＣをチェックする。失敗があると、無線通信デバイスは、復号処理を停止し、送信元のノードに対して、サブフレームのバンドルの欠陥を、アップリンク送信を介して通知する。別の実施形態では、このデバイスは、再送信を受信すると、バンドルの特定のサブフレームが、以前に正しく受信されているのかを判定する。正しく受信されているに判定されると、デバイスは、復号処理をスキップし、バンドルにおける次のサブフレームへ移る。
【００１０】
他の実施形態では、以前に送信されたバンドルの再送信が受信されると、以前に正しく復号されたさぶフレームの復号がバイパスされ、ＣＲＣ誤りがレポートされたサブフレームと、このバンドルの後の何れかのサブフレームとが復号される、無線通信のための方法、装置、およびコンピュータ・プログラム製品が提供される。
【図面の簡単な説明】
【００１１】
本開示の特徴、特性、および利点は、同一の参照符号が全体を通じて同一物を特定している図面とともに考慮された場合、以下に記載する詳細な記述からより明らかになるだろう。
【図１】図１は、１つの実施形態にしたがう多元接続無線通信システムを例示する。
【図２】図２は、通信システムのブロック図を例示する。
【図３】図３は、無線通信環境においてダウンリンク・サブフレームの復号をディセーブルすることをサポートするシステムの例を例示する。
【図４】図４は、権利主張される主題に関連して利用されうるラジオ・フレームの例を例示する。
【図５】図５は、無線通信環境においてＣＲＣ失敗を検出すると、バンドルにおける後のダウンリンク・サブフレーム（単数または複数）の復号を終了することを容易にする方法の例を例示する。
【図６】図６は、再送信されたバンドルを受信することと、以前に正しく復号されたサブフレームをバイパスすることとを容易にする方法の例を例示する。
【発明を実施するための形態】
【００１２】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１３】
通信システムのいくつかの実施形態が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、以下の詳細説明に記述されており、添付図面に例示される。これらの要素は、電子ハードウェア、コンピュータ・ソフトウェア、またはこれら任意の組み合わせを用いて実現されうる。それら要素がハードウェアとしてまたはソフトウェアとして実現されるかは、特定のアプリケーションおよびシステム全体に課せられている設計制約に依存する。
【００１４】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、順序回路、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、搬送波、伝送路、および、ソフトウェアの格納または送信のために適切なその他任意の媒体を含みうる。コンピュータ読取可能な媒体は、処理システムの内部に存在しうるか、処理システムの外部に存在するか、処理システムを含む複数のエンティティにわたって分散されうる。
【００１５】
コンピュータ読取可能な媒体は、コンピュータ・プログラム製品内に組み込まれうる。
【００１６】
例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１７】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある実施形態は、以下において、ＬＴＥについて記載されており、ＬＴＥ用語が以下の説明の多くで使用される。
【００１８】
シングル・キャリア変調および周波数領域等値化を利用するシングル・キャリア周波数分割多元接続（ＳＣ−ＦＤＭＡ）は、多元接続技術である。ＳＣ−ＦＤＭＡは、ＯＦＤＭＡシステムと同じ性能、および実質的に同じ全体的な複雑さを有する。ＳＣ−ＦＤＭＡ信号は、固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。これは現在、３ＧＰＰロング・ターム・イボリューション（ＬＴＥ）またはイボルブドＵＴＲＡにおけるアップリンク多元接続スキームのための動作前提である。
【００１９】
図１に示すように、１つの実施形態にしたがう多元接続無線通信システムが例示される。アクセス・ポイント１００（ＡＰ）（例えば、基地局、イボルブド・ノードＢ（ｅＮＢ、ｅノードＢ等）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、２本より多いまたは少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０４、１０６と通信しており、アンテナ１０４、１０６は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２０】
通信するように設計された領域および／またはアンテナのおのおののグループは、しばしば、アクセス・ポイントのセクタと称される。実施形態では、アンテナ・グループはおのおの、アクセス・ポイント１００によってカバーされている領域のセクタ内のアクセス端末と通信するように設計されている。
【００２１】
順方向リンク１２０、１２６による通信では、アクセス・ポイント１００の送信アンテナは、別のアクセス端末１１６、１２２のための順方向リンクの信号対雑音比を改善するために、ビームフォーミングを利用することができる。さらに、意図されている有効範囲領域にわたってランダムに散在するアクセス端末へ送信するためにビームフォーミングを用いるアクセス・ポイントは、全てのアクセス端末へ一様に単一のアンテナによって送信するアクセス・ポイントよりも、近隣のセクタ内のアクセス端末に対して少ない干渉しかもたらさない。
【００２２】
アクセス・ポイントは、端末と通信するために使用される固定局かもしれず、アクセス・ポイント、ノードＢ、イボルブド・ノードＢ（ｅＮＢ）、またはその他のいくつかの用語で称される。アクセス端末はまた、アクセス端末、ユーザ機器（ＵＥ）、無線通信デバイス、端末、アクセス端末、あるいはその他いくつかの専門用語で称されうる。
【００２３】
図２は、アクセス・ネットワークにおいてＵＥ２５０と通信しているｅＮＢ２１０のブロック図２００である。ＤＬでは、コア・ネットワークからの上部レイヤ・パケットが、送信（ＴＸ）プロセッサ２１４へ提供される。ＴＸプロセッサ２１４は、Ｌ１レイヤ、Ｌ２レイヤ、およびＬ３レイヤの機能を実施する。Ｌ２レイヤ機能に関して、ＴＸプロセッサ２１４は、上部レイヤ・パケットのヘッダを圧縮し、これらパケットを暗号化し、暗号化されたパケットをセグメント化し、セグメント化されたパケットの順序を並び替え、論理チャネルと伝送チャネルとの間でデータ・パケットを多重化し、さまざまな優先度メトリックに基づいて、ラジオ・フレームをＵＥ２５０へ割り当てる。さらに、ＴＸプロセッサ２１４はまた、Ｌ３レイヤからの制御に基づいて、ＡＲＱ動作またはＨＡＲＱ動作、喪失パケットの再送信、およびＵＥ２５０へのシグナリングを担当する。
【００２４】
Ｌ１レイヤ機能に関し、ＴＸプロセッサ２１４は、物理レイヤのためのさまざまな信号処理機能を実現する。これら信号処理機能は、ＵＥ２５０における順方向誤り訂正（ＦＥＣ）を容易にするための符号化およびインタリービングと、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピングと、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的に事前符号化され、複数の空間ストリームが生成される。チャネル推定器からのチャンネル推定値が、空間処理のみならず、符号化および変調スキームを決定するためにも使用されうる。チャネル推定値は、ＵＥ２５０によって送信されたチャネル状態フィードバックおよび／または基準信号から導出されうる。おのおのの空間ストリームはその後、個別の送信機２２２を介して異なるアンテナ２２４へ提供される。おのおのの送信機２２２ａＴＸは、送信のために、それぞれの空間ストリームを用いてＲＦキャリアを変調する。
【００２５】
ＵＥ２５０では、おのおのの受信機２５４が、それぞれのアンテナ２５２を介して信号を受信する。おのおのの受信機２５４は、ＲＦキャリアへ変調された情報を復元し、この情報を、受信機（ＲＸ）プロセッサ２６０へ提供する。
【００２６】
ＲＸプロセッサ２６０は、Ｌ１レイヤ、Ｌ２レイヤ、およびＬ３レイヤのさまざまな信号処理機能を実現する。Ｌ１レイヤ機能に関し、ＲＸプロセッサ２６０は、この情報に対して空間処理を実行し、ＵＥ２５０のために向けられた空間ストリームを復元する。複数の空間ストリームがＵＥ２５０のために向けられている場合、これらは、ＲＸプロセッサ２６０によって、単一のＯＦＤＭシンボル・ストリームへ結合されうる。ＲＸプロセッサ２６０は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ２１０によって送信された最も可能性の高いコンステレーション・ポイントを判定することによって復元および復調される。これら軟判定は、チャネル推定器によって計算されたチャネル推定値に基づきうる。これら軟判定はその後、復号およびデインタリーブされ、物理チャネル上でｅＮＢ２１０によって送信されたオリジナルのデータおよび制御信号が復元される。データおよび制御信号はその後、Ｌ２レイヤへ提供される。
【００２７】
Ｌ２レイヤ機能に関して、ＲＸプロセッサ２６０は、伝送チャネルと論理チャネルとの間の逆多重化を提供し、データ・パケットを上部レイヤ・パケットへ再アセンブリし、上部レイヤ・パケットを解読し、ヘッダを伸張し、制御信号を処理する。Ｌ２レイヤ上のすべてのプロトコル・レイヤを表す上部レイヤ・パケットは、その後、（図示しない）データ・シンクへ提供される。ＲＸプロセッサ２６０はまた、ＡＲＱ動作またはＨＡＲＱ動作をサポートするためにアクノレッジメント（ＡＣＫ）および／または否定的アクノレッジメント（ＮＡＣＫ）プロトコルを用いて、誤り検出を担当する。制御信号はＬ３レイヤに提供される。
【００２８】
ＵＬでは、送信（ＴＸ）プロセッサ２３８へデータ・パケットを提供するために、データ・ソース２３６が使用される。データ・ソースは、Ｌ２レイヤ（Ｌ２）上のすべてのプロトコル・レイヤを表す。ｅＮＢ２１０によるＤＬ送信に関して記載された機能に類似して、ＴＸプロセッサ２３８は、ユーザ・プレーンと制御プレーンとのためのＬ１レイヤ、Ｌ２レイヤ、およびＬ３レイヤを実現する。ｅＮＢ２１０によって送信されたフィードバックまたは基準信号から、チャネル推定器によって導出されたチャネル推定値が、ＴＸプロセッサ２３８によって使用されて、適切な符号化および変調スキームが選択され、空間処理が容易とされる。ＴＸプロセッサ２３８によって生成された空間ストリームは、個別の送信機２５４を介して異なるアンテナ２５２に提供される。おのおのの送信機２５４は、送信のために、それぞれの空間ストリームを用いてＲＦキャリアを変調する。
【００２９】
この受信機機能は、ｅＮＢ２１０における送信機機能に関して記載されたものと類似した方式で、ｅＮＢ２１０において処理される。おのおのの受信機２２２は、それぞれのアンテナ２２４を介して信号を受信する。おのおのの受信機２２２は、ＲＦキャリアへ変調された情報を復元し、この情報を、ＲＸプロセッサ２４２へ提供する。ＲＸプロセッサ２４２は、Ｌ１レイヤ、Ｌ２レイヤ、およびＬ３レイヤを実現する。ＲＸプロセッサからの上部レイヤ・パケットは、コア・ネットワークに提供され、Ｌ３レイヤへ制御信号が提供されうる。
【００３０】
ｅＮＢ２１０は、ＭＩＭＯ技術をサポートする複数のアンテナを有しうる。ＭＩＭＯ技術を使用することにより、ｅＮＢ２１０は、空間多重化、ビームフォーミング、および送信ダイバーシティをサポートするために空間領域を活用できるようになる。
【００３１】
空間多重化は、同じ周波数で、異なるデータ・ストリームを同時に送信するために使用されうる。データ・ストリームは、データ・レートを高めるために単一のＵＥ２５０へ、全体的なシステム容量を高めるために複数のＵＥ２５０へ、送信されうる。これは、各データ・ストリームを空間的にプリコードし、空間的にプリコードされた各ストリームを、ダウンリンクで、異なる送信アンテナを介して送信することによって達成される。この空間的にプリコードされたデータ・ストリームは、異なる空間シグニチャを持つＵＥ（単数または複数）２５０に到着する。これによって、ＵＥ（単数または複数）２５０のおのおのは、ＵＥ２５０のために指定された１または複数のデータ・ストリームを復元できるようになる。アップリンクでは、おのおののＵＥ２５０が、空間的にプリコードされたデータ・ストリームを送信する。これによって、ｅＮＢ２１０は、空間的にプリコードされた各データ・ストリームのソースを識別できるようになる。
【００３２】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００３３】
以下に続く詳細説明では、アクセス・ネットワークのさまざまな態様が、ダウンリンクでＯＦＤＭをサポートするＭＩＭＯシステムに関して記述されるだろう。ＯＦＤＭは、ＯＦＤＭシンボル内の多くのサブキャリアにおいてデータを変調するスペクトル拡散技術である。サブキャリアは、正確な周波数で、間隔を置かれている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００３４】
実施形態では、おのおののデータ・ストリームは、それぞれの送信アンテナを通して送信される。ｅＮＢ２１０では、多くのデータ・ストリームのトラフィック・データが、データ・ソース２１２から送信（ＴＸ）データ・プロセッサ６１４へ提供される。ＴＸデータ・プロセッサ２１４は、おのおののデータ・ストリームのトラフィック・データをフォーマットし、このデータ・ストリームのために選択された特定の符号化スキームに基づいて符号化し、インタリーブして、符号化されたデータを提供する。
【００３５】
おのおののデータ・ストリームの符号化されたデータは、ＯＦＤＭ技術を用いてパイロット・データと多重化されうる。パイロット・データは一般に、既知の手法で処理される既知のデータ・パターンであり、チャネル応答を推定するために受信機システムにおいて使用されうる。おのおののデータ・ストリームについて多重化されたパイロットおよび符号化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００３６】
すべてのデータ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、このシンボルが送信されるアンテナへ、ビームフォーミング重みを適用する。
【００３７】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、その後、ＮＴ個のアンテナ２２４ａ乃至２２４ｔからそれぞれ送信される。
【００３８】
ＵＥ２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、受信したそれぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３９】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、このデータ・ストリームのためのトラフィック・データを復元する。ＲＸデータ・プロセッサ２６０による処理は、ｅＮＢ２１０におけるＴＸ  ＭＩＭＯプロセッサ２２０およびＴＸデータ・プロセッサ２１４によって実行されたものに相補的である。
【００４０】
プロセッサ２３０およびプロセッサ２７０は、それぞれのシステムにおける動作を指示しうる。さらに、ｅＮＢ２１０におけるメモリ２３２と、ＵＥ２５０におけるメモリ２７２とが、送信機システム・プロセッサ２３０および受信機システム・プロセッサ２７０のそれぞれによって使用されるプログラム・コードとデータのためのストレージを提供する。プロセッサ２７０は、どのプリコーディング行列を使用するのかを定期的に決定しうる。プロセッサ２７０は、行列インデクス部およびランク値部を備える逆方向リンク・メッセージを定式化しうる。
【００４１】
逆方向リンク・メッセージは、通信リンクおよび／または受信されたデータ・ストリームに関するさまざまなタイプの情報を備えうる。その後、逆方向リンク・メッセージは、ＴＸデータ・プロセッサ２３８によって処理され、変調器２８０によって変調され、送信機２５４ａ乃至２５４ｒによって調整され、ｅＮＢ２１０へ送り戻される。ＴＸデータ・プロセッサ２３８はまた、データ・ソース２３６から、多くのデータ・ストリームのトラフィック・データをも受信する。
【００４２】
ｅＮＢ２１０では、ＵＥ２５０からの変調された信号が、アンテナ２２４によって受信され、受信機２２２によって調整され、復調器２４０によって復調され、ＲＸデータ・プロセッサ２４２によって処理される。これによって、受信機システム２５０によって送信された逆方向リンク・メッセージが抽出される。さらに、プロセッサ２３０は、ビームフォーミング重みを決定するためにどのプリコーディング行列を使用するかを決定し、この抽出されたメッセージを処理する。
【００４３】
実施形態では、論理チャネルが、制御チャネルとトラフィック・チャネルとに分類される。論理制御チャネルは、以下を備える。システム制御情報をブロードキャストするためのＤＬチャネルであるブロードキャスト制御チャネル（ＢＣＣＨ）。ページング情報を転送するＤＬチャネルであるページング制御チャネル（ＰＣＣＨ）。１またはいくつかのマルチキャスト・トラフィック・チャネル（ＭＴＣＨ）のための、マルチメディア・ブロードキャストおよびマルチメディア・サービス（ＭＢＭＳ）スケジューリングと制御情報とを送信するために使用されるポイント・トゥ・マルチポイントＤＬチャネルであるマルチキャスト制御チャネル（ＭＣＣＨ）。一般に、ＲＲＣ接続を確立した後、このチャネルは、ＭＢＭＳを受信するＵＥによってのみ使用される。専用制御チャネル（ＤＣＣＨ）は、専用制御情報を送信するポイント・トゥ・ポイント双方向チャネルであり、ＲＲＣ接続を有するＵＥによって使用される。１つの実施形態では、論理トラフィック・チャネルは、ユーザ情報の転送のために１つのＵＥに特化されたポイント・トゥ・ポイント双方向チャネルである専用トラフィック・チャネル（ＤＴＣＨ）と、トラフィック・データを送信するためのポイント・トゥ・マルチポイントＤＬチャネルのためのマルチキャスト・トラフィック・チャネル（ＭＴＣＨ）とを備える。
【００４４】
実施形態では、伝送チャネルは、ダウンリンク（ＤＬ）およびアップリンク（ＵＬ）に分類される。ＤＬ伝送チャネルは、ブロードキャスト・チャネル（ＢＣＨ）、ダウンリンク共有データ・チャネル（ＤＬ−ＳＤＣＨ）、およびページング・チャネル（ＰＣＨ）を備える。ＵＥ節電のサポートのためのＰＣＨ（ＤＲＸサイクルが、ネットワークによってＵＥへ示されうる）が、セル全体にわたってブロードキャストし、他の制御／トラフィック・チャネルのために使用されるＰＨＹリソースへマップされる。ＵＬ伝送チャネルは、ランダム・アクセス・チャネル（ＲＡＣＨ）、要求チャネル（ＲＥＱＣＨ）、アップリンク共有データ・チャネル（ＵＬ−ＳＤＣＨ）、および複数のＰＨＹチャネルを備える。ＰＨＹチャネルは、ＤＬチャネルとＵＬチャネルとのセットを備える。
【００４５】
ＤＬ  ＰＨＹチャネルは以下を備える。  
共通パイロット・チャネル（ＣＰＩＣＨ）、  
同期チャネル（ＳＣＨ）、  
共通制御チャネル（ＣＣＣＨ）、  
共有ＤＬ制御チャネル（ＳＤＣＣＨ）、  
マルチキャスト制御チャネル（ＭＣＣＨ）、  
共有ＵＬ割当チャネル（ＳＵＡＣＨ）、  
アクノレッジメント・チャネル（ＡＣＫＣＨ）、  
ＤＬ物理共有データ・チャネル（ＤＬ−ＰＳＤＣＨ）、  
ＵＬ電力制御チャネル（ＵＰＣＣＨ）、  
ページング・インジケータ・チャネル（ＰＩＣＨ）、  
負荷インジケータ・チャネル（ＬＩＣＨ）。
【００４６】
ＵＬ  ＰＨＹチャネルは以下を備える。  
物理ランダム・アクセス・チャネル（ＰＲＡＣＨ）、  
チャネル品質インジケータ・チャネル（ＣＱＩＣＨ）、  
アクノレッジメント・チャネル（ＡＣＫＣＨ）、  
アンテナ・サブセット・インジケータ・チャネル（ＡＳＩＣＨ）、  
共有要求チャネル（ＳＲＥＱＣＨ）、  
ＵＬ物理共有データ・チャネル（ＵＬ−ＰＳＤＣＨ）、  
ブロードキャスト・パイロット・チャネル（ＢＰＩＣＨ）。
【００４７】
実施形態では、単一キャリア波形の低ＰＡＰＲ特性を維持するチャネル構造が提供される。
【００４８】
本書の目的のために、以下の略語を適用する。  
ＡＭ：アクノレッジ・モード、  
ＡＭＤ：アクノレッジ・モード・データ、  
ＡＲＱ：自動反復要求、  
ＢＣＣＨ：ブロードキャスト制御チャネル、  
ＢＣＨ：ブロードキャスト・チャネル、  
Ｃ−：制御−、  
ＣＣＣＨ：共通制御チャネル、  
ＣＣＨ：制御チャネル、  
ＣＣＴｒＣＨ：符号化された合成伝送チャネル、  
ＣＰ：サイクリック・プレフィクス、  
ＣＲＣ：巡回冗長検査、  
ＣＴＣＨ：共通トラフィック・チャネル、  
ＤＣＣＨ：専用制御チャネル、  
ＤＣＨ：専用チャネル、  
ＤＬ：ダウンリンク、  
ＤＳＣＨ：ダウンリンク共有チャネル、  
ＤＴＣＨ：専用トラフィック・チャネル、  
ＦＡＣＨ：順方向リンク・アクセス・チャネル、  
ＦＤＤ：周波数分割デュプレクス、  
ＨＡＲＱ：ハイブリッド自動反復要求、  
Ｌ１：レイヤ１（物理レイヤ）、  
Ｌ２：レイヤ２（データ・リンク・レイヤ）、  
Ｌ３：レイヤ３（ネットワーク・レイヤ）、  
ＬＩ：長さインジケータ、  
ＬＳＢ：最下位ビット、  
ＭＡＣ：媒体アクセス制御、  
ＭＢＭＳ：マルチメディア・ブロードキャスト・マルチキャスト・サービス、  
ＭＣＣＨ：ＭＢＭＳポイント・トゥ・マルチポイント制御チャネル、  
ＭＲＷ：動き受信ウィンドウ、  
ＭＳＢ：最上位ビット、  
ＭＳＣＨ：ＭＢＭＳポイント・トゥ・マルチポイント・スケジューリング・チャネル、
ＭＴＣＨ：ＭＢＭＳポイント・トゥ・マルチポイント・トラフィック・チャネル、  
ＰＡＰＲ：ピーク対平均電力比、  
ＰＣＣＨ：ページング制御チャネル、  
ＰＣＨ：ページング・チャネル、  
ＰＤＵ：プロトコル・データ・ユニット、  
ＰＨＹ：物理レイヤ、  
ＰｈｙＣＨ：物理チャネル、  
ＲＡＣＨ：ランダム・アクセス・チャネル、  
ＲＬＣ：ラジオ・リンク制御、  
ＲＲＣ：ラジオ・リソース制御、  
ＳＡＰ：サービス・アクセス・ポイント、  
ＳＤＵ：サービス・データ・ユニット、  
ＳＨＣＣＨ：共有チャネル制御チャネル、  
ＳＮ：シーケンス番号、  
ＳＵＦＩ：スーパ・フィールド、  
ＴＣＨ：トラフィック・チャネル、  
ＴＤＤ：時分割デュプレクス、  
ＴＦＩ：伝送フォーマット・インジケータ、  
ＴＭ：透過モード、  
ＴＭＤ：透過モード・データ、  
ＴＴＩ：送信時間インタバル、  
Ｕ−：ユーザ−、  
ＵＥ：ユーザ機器、  
ＵＬ：アップリンク、  
ＵＭ：非アクノレッジ・モード、  
ＵＭＤ：非アクノレッジ・モード・データ、  
ＵＭＴＳ：ユニバーサル・モバイル通信システム、  
ＵＴＲＡ：ＵＭＴＳ地上ラジオ・アクセス、  
ＵＴＲＡＮ：ＵＭＴＳ地上ラジオ・アクセス・ネットワーク、  
ＭＢＳＦＮ：マルチキャスト・ブロードキャスト単一周波数ネットワーク、  
ＭＣＥ：ＭＢＭＳ調整エンティティ、  
ＭＣＨ：マルチキャスト・チャネル、  
ＤＬ−ＳＣＨ：ダウンリンク共有チャネル、  
ＭＳＣＨ：ＭＢＭＳ制御チャネル、  
ＰＤＣＣＨ：物理ダウンリンク制御チャネル、  
ＰＤＳＣＨ：物理ダウンリンク共有チャネル。
【００４９】
図３は、無線通信環境においてダウンリンク・サブフレームの復号をディセーブルすることをサポートするシステム３００の例を例示する。システム３００は、情報、信号、データ、命令群、コマンド、ビット、シンボル等を送信しうる基地局３０２を含んでいる。基地局３０２は、順方向リンクおよび／または逆方向リンクによってアクセス端末３０４と通信しうる。アクセス端末３０４は、情報、信号、データ、命令群、コマンド、ビット、シンボル等を送信および／または受信しうる。さらに、図示していないが、ソース基地局３０２に類似する任意の数の基地局がシステム３００内に含まれうるか、および／または、アクセス端末３０４に類似する任意の数のアクセス端末がシステム３００に含まれうることが考慮される。
【００５０】
基地局３０２は、送信構成要素３０６、バンドル・アクノレッジメント（ＡＣＫ）受信構成要素３０８、メモリ３１０、およびプロセッサ３１２を含みうる。送信構成要素３０６は、アクセス端末３０４にダウンリンク送信を送りうる。例えば、システム３００は、時分割デュプレクス（ＴＤＤ）モード（例えば、ロング・ターム・イボリューション（ＬＴＥ）ＴＤＤモード等）をサポートしうる。このため、ラジオ・フレームのうちの複数のサブフレームが、（例えば、送信構成要素３０６によって）ダウンリンク送信のために利用されうる。さらに、ダウンリンク送信のために利用される複数のサブフレーム（またはこのサブセット）は、いくつかのＴＤＤ設定においては、アップリンク送信のために適用されうるラジオ・フレームのうちの単一のサブフレームに関連付けられうる。したがって、ダウンリンク送信のために利用される複数のサブフレームに対応する複数の巡回冗長検査（ＣＲＣ）が、アップリンク送信のために適用される単一のサブフレームにおいて、バンドルＡＣＫ受信構成要素３０８によって取得されうる。
【００５１】
さらに、アクセス端末３０４は、受信構成要素３１４、バンドルＡＣＫ生成構成要素３１６、復号禁止構成要素３１８、メモリ３２０、およびプロセッサ３２２を含みうる。受信構成要素３１４は、基地局３０２によって（例えば、送信構成要素３０６を介して）送信されたダウンリンク送信を取得しうる。さらに、受信構成要素３１４は、取得したダウンリンク送信を処理しうる。例えば、受信構成要素３１４によって有効とされる処理は、取得したダウンリンク送信をバッファし、フィルタし、補正（例えば、オフセット補正、ＩＱ補正、周波数補正等）し、デジタル・ゲインを制御し、高速フーリエ変換（ＦＦＴ）を用いてサンプルし、チャネルを推定し（例えば、チャネル補間、最大比結合／最小平均平方誤差（ＭＲＣ／ＭＭＳＥ）演算等を用いて）復調し、（例えば、ログ尤度比（ＬＬＲ）等を計算することによって）デマップし、（例えば、ターボ復号器等を用いて）復号し、ＣＲＣステータスを評価する等を含みうる。しかしながら、前述した処理のすべてが、受信構成要素３１４（および／または、他の構成要素（単数または複数）（図示せず））によって有効とされる必要はないことが考慮される。さらに、ダウンリンク送信が取得されると、当該技術分野で知られており、本明細書に明確に記載された処理以外のさらなる処理が、受信構成要素３１４（および／またはその他の構成要素（単数または複数）（図示せず））によって実行され、このようなさらなる任意の処理が、本明細書に添付された特許請求の範囲のスコープ内にあることが意図されていることが認識されるべきである。
【００５２】
例示によれば、受信構成要素３１４は、取得されたダウンリンク送信のＣＲＣステータスを評価しうる。さらに、バンドルＡＣＫ生成構成要素３１６が、複数のサブフレーム中に送信されたダウンリンク送信からのＣＲＣステータスを結合しうる。結合されたＣＲＣステータスは、単一のアップリンク・サブフレームによる送信のために、ともにバンドルされうる。例えば、バンドルＡＣＫ生成構成要素３１６は、アップリンクに関連付けられたバンドリング・ウィンドウにおけるダウンリンク・サブフレームにわたってＣＲＣステータスを論理的に「ＡＮＤ」しうる。さらに、バンドルＡＣＫ生成構成要素３１６は、アップリンクで、単一のアクノレッジメント／否定的アクノレッジメント（ＡＣＫ／ＮＡＣＫ）ステータスを送信しうる（例えば、これは、基地局３０２のバンドルＡＣＫ受信構成要素３０８によって受信されうる）。送信される情報の減少は、トランシーバ（例えば、アクセス端末３０４）における節電を提供するために使用されうる。
【００５３】
ＡＮＤすることによって、バンドルＡＣＫ生成構成要素３１６によってＡＣＫとＮＡＣＫとが結合されると、受信構成要素３１４によって識別されたような、すべてのダウンリンク・サブフレーム内の単一のＣＲＣ失敗によって、バンドルＡＣＫ生成構成要素３１６は、ＮＡＣＫを送信する（例えば、失敗をレポートする）ようになる。復号禁止構成要素３１８は、バンドル内でＣＲＣ失敗を検出すると直ちに、バンドル内の後のダウンリンク・サブフレームの（例えば、受信構成要素３１４によって実行されうる）復号をディセーブルしうる。したがって、後のダウンリンク・サブフレームの復号を停止することによって、受信機（例えば、アクセス端末３０４）における節電がなされうる。
【００５４】
メモリ３１０およびメモリ３２０は、送信されるべきデータ、受信されたデータ、および、本明細書に記載されたさまざまな動作および機能を実行することに関連するその他任意の適切な情報を格納しうる。本明細書に記載されたデータ・ストレージ（例えば、メモリ３１０、メモリ３２０等）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作しうるランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ（登録商標））のような多くの形態で利用可能である。主題となるシステムおよび方法のメモリ３１０およびメモリ３２０は、限定される訳ではないが、周知または開発されるべきである、これらおよびその他任意の適切なタイプのメモリを備えることが意図される。さらに、メモリ３１０は、プロセッサ３１２に動作可能に接続されうる。および／または、メモリ３２０は、プロセッサ３２２に動作可能に接続されうる。
【００５５】
さらに、本明細書に記載されたように、復号を停止することは、一般に、ＬＴＥ周波数分割デュプレクス（ＦＤＤ）のために、または、複数のコード・ワードからのＣＲＣ情報が、（例えば、バンドルＡＣＫ生成構成要素３１６等によって生成される）単一の応答に折り込まれる他の何れかの技術のために、適用可能でありうる。前述したものと同様に、復号は、最初のＣＲＣ失敗後に（例えば、復号禁止構成要素３１８等によって）ディセーブルされうる。
【００５６】
図４に移って、権利主張する主題に関連して利用されうる典型的なラジオ・フレーム４００が例示されている。ラジオ・フレーム４００は、持続時間が１０ミリ秒でありうる。そして、１０のサブフレームを含みうる。さらに、サブフレームは、継続時間が１ミリ秒でありうる。
【００５７】
ラジオ・フレーム４００は、例えば、ＬＴＥ  ＴＤＤのために使用されうる。したがって、さまざまなＴＤＤ設定が実現されうる。おのおののＴＤＤ設定は、アップリンク・サブフレームおよびダウンリンク・サブフレームの対応するパターンを含みうる。したがって、おのおののサブフレームは、ＴＤＤ設定に依存して、アップリンク・サブフレームか、ダウンリンク・サブフレームかの何れか（または、ダウンリンク・パイロット時間スロット、ガード期間、およびアップリンク・パイロット時間スロットを含む特別なサブフレーム）でありうる。無線通信環境内で利用されるＴＤＤ設定はまた、アップリンク・トラフィックとダウンリンク・トラフィックとの間の負荷平準化を考慮しうる。
【００５８】
典型的な図４の例示によれば、ラジオ・フレーム４００のサブフレームのうちの８つが、ダウンリンク・サブフレームであり、ラジオ・フレーム４００の１つのサブフレームが、アップリンク・サブフレームであり、ラジオ・フレーム４００の１つのサブフレームが、特別なサブフレームでありうる（例えば、ＴＤＤ設定は、サブフレーム＃０がダウンリンク・サブフレームであり、サブフレーム＃１が特別なサブフレームであり、サブフレーム＃２がアップリンク・サブフレームであり、サブフレーム＃３−＃９がおのおのダウンリンク・サブフレームであるパターンに関連付けられうる）。別の例によれば、ラジオ・フレーム４００のサブフレームのうちの６つが、ダウンリンク・サブフレームであり、ラジオ・フレーム４００の３つのサブフレームが、アップリンク・サブフレームであり、ラジオ・フレーム４００の１つのサブフレームが、特別なサブフレームでありうる（例えば、ＴＤＤ設定は、サブフレーム＃０がダウンリンク・サブフレームであり、サブフレーム＃１が特別なサブフレームであり、サブフレーム＃２−＃４がおのおのアップリンク・サブフレームであり、サブフレーム＃５−＃９がおのおのダウンリンク・サブフレームであるパターンに関連付けられうる）。しかしながら、権利主張される主題は、任意のＴＤＤ設定および関連付けられたパターンが、本明細書に添付された特許請求の範囲のスコープ内に入ることが意図されていると考慮されているので、前述した典型的なＴＤＤ設定に限定されないことが認識されるべきである。
【００５９】
再び、図３を参照されたい。例によれば、システム３００は、ラジオ・フレームについて、９つのダウンリンク・サブフレームと、１つのアップリンク・サブフレームとを含むパターンを持つＴＤＤ設定を利用しうる。しかし、権利主張される主題は、このような例に限定されない（例えば、任意の適切な数のダウンリンク・サブフレームが、１つのアップリンク・サブフレームによって送信されたレポートの一部としてともにバンドルされうる場合、異なるバンドル・サイズが適用されうる）ことが認識されるべきである。したがって、受信構成要素３１４は、９つのダウンリンク・サブフレームを処理しうる。さらに、バンドルＡＣＫ生成構成要素３１６は、基地局３０２へ送信するための１つのＡＣＫ／ＮＡＣＫビットを生成するために、９つのダウンリンク・サブフレームからのＡＣＫとＮＡＣＫとを結合しうる。バンドルＡＣＫ生成構成要素３１６は、このようなビットをＡＮＤすることによって、ＡＣＫとＮＡＣＫとを結合しうる。したがって、９つのダウンリンク・サブフレームのうちの少なくとも１つが失敗した場合（例えば、ＣＲＣ失敗が、受信構成要素３１４によって検出された場合）、バンドルＡＣＫ生成構成要素３１６は、基地局３０２に対して、アップリンク・サブフレームによって送信された１つのＡＣＫ／ＮＡＣＫビットに欠陥が生じたことを示しうる。
【００６０】
上記の例によれば、サブフレーム＃０−＃８は、ダウンリンク・サブフレームでありえる。また、サブフレーム＃９は、アップリンク・サブフレームでありえる。しかし、権利主張される主題は、それに限定されないことが認識されるべきである。受信構成要素３１４は、ダウンリンク・サブフレームを順に処理しうる。したがって、ダウンリンク・サブフレーム＃０が復号され、ダウンリンク・サブフレーム＃０の対応するＡＣＫまたはＮＡＣＫ（例えば、ＣＲＣ合格またはＣＲＣ失敗）が、受信構成要素３１４によって収集されうる。その後、ダウンリンク・サブフレーム＃１が復号され、ダウンリンク・サブフレーム＃１の対応するＡＣＫまたはＮＡＣＫが、受信構成要素３１４によって収集されうるという具合である。受信構成要素３１４によるダウンリンク・サブフレームの処理中に、ダウンリンク・サブフレームの失敗（例えば、ＣＲＣ失敗）が検出されると、バンドルＡＣＫ生成構成要素３１６は、後のダウンリンク・サブフレーム（単数または複数）が正しく復号されたか否かに関わらず、アップリンク・サブフレームによって送信された１つのＡＣＫ／ＮＡＣＫビットのためにＮＡＣＫをレポートしうる。したがって、ダウンリンク・サブフレームの失敗が検出されると、復号禁止構成要素３１８は、失敗したダウンリンク・サブフレームの後であって、かつ、バンドルＡＣＫ生成構成要素３１６によって失敗がレポートされたアップリンク・サブフレームの前に、順に、（例えば、受信構成要素３１４、ターボ復号器等によって実行される）ダウンリンク・サブフレーム（単数または複数）のさらなる復号をディセーブルしうる。これによって、アクセス端末３０４における節電がなされるようになる。
【００６１】
例示によれば、失敗が認識された場合、復号禁止構成要素３１８は、アップリンク・サブフレームの前に、ラジオ・フレームにおける後のダウンリンク・サブフレームにおいて、受信構成要素３１４によって実行される復号を停止しうる。しかしながら、このような後のダウンリンク・サブフレームに対する別の処理が未だに有効とされうる（例えば、ＩＱサンプルが収集され、チャネル推定が実行され、ＭＲＣまたはＭＭＳＥを用いて復調が有効とされ、ＬＬＲが計算され、バッファ内で結合されうる）。復号は、独立した動作でありうるので、単独で禁止されうる。さらに、ラジオ・フレームにおけるダウンリンク送信のために９つのサブフレームが使用され、バンドルＡＣＫ生成構成要素３１６によって失敗がレポートされた場合、９つのサブフレームの間に送信された情報は、後のラジオ・フレームにおいて、基地局３０２によって（例えば、バンドルＡＣＫ受信構成要素３０８によって失敗が認識されるのに応じて送信構成要素３０６によって）再び送信されうる。バンドルＡＣＫ生成構成要素３１６による失敗のレポートが、１つのビットに折り込まれるので、９つのダウンリンク・サブフレームのうちの８つが正しく復号され、失敗した他の１つのダウンリンク・サブフレームが正しく復号されるべきである場合であっても、９つすべてのダウンリンク・サブフレームが再送信される。
【００６２】
失敗がレポートされたことに応じて、ダウンリンク・サブフレームが基地局（例えば、送信構成要素３０６）によって送信された場合、アクセス端末３０４（例えば、受信構成要素３１４）は、以前に正しく復号されたダウンリンク・サブフレーム（単数または複数）の復号を行うか、この復号をスキップするかの何れかを行いうる。再び、サブフレーム＃０−＃８がダウンリンク・サブフレームであり、サブフレーム＃９がアップリンク・サブフレームでありうるパターンを持つＴＤＤ設定を利用するラジオ・フレームの例が、以下に記載される。しかしながら、権利主張される主題は、このようなＴＤＤ設定に限定されない。例示によれば、ダウンリンク・サブフレーム＃０−＃３のＣＲＣが合格し、ダウンリンク・サブフレーム＃４のＣＲＣが失敗しうる。したがって、復号禁止構成要素３１８は、受信構成要素３１４に対して、ダウンリンク・サブフレーム＃５−＃８の復号をスキップさせうる（例えば、アクセス端末３０４のターボ復号器は、ダウンリンク・サブフレーム＃５−＃８について電源をオフしうる等）。このアプローチを利用することによって、ＣＲＣ失敗を検出した後に、ダウンリンク・サブフレーム（単数または複数）のターボ復号器の電源を落とすことに関連付けられた節電を提供しうる。さらに、バンドルＡＣＫ生成構成要素３１６は、アップリンク・サブフレーム＃９によって失敗をレポートしうる。１つの例にしたがって、失敗がレポートされることに応じて、情報が再送信される（例えば、ダウンリンク・サブフレーム＃０−＃８からの情報が再送信される）場合、次のラジオ・フレームの間、受信構成要素３１４は、ダウンリンク・サブフレーム＃０からの処理を開始しうる。別の例によれば、失敗がレポートされることに応じて、情報が再送信される（例えば、ダウンリンク・サブフレーム＃０−＃８からの情報が再送信される）場合、次のラジオ・フレームの間、受信構成要素３１４は、以前にＣＲＣを失敗したダウンリンク・サブフレームにおいて処理を開始しうる（例えば、ダウンリンク・サブフレーム＃４の処理を開始し、その後、ダウンリンク・サブフレーム＃４がＣＲＣを合格した場合には、ダウンリンク・サブフレーム＃５の処理を続けるという具合である）。したがって、ダウンリンク・サブフレーム＃０−＃３は、前のラジオ・フレームにおいて以前に送信された場合に復号され、ＣＲＣに合格しているので、受信構成要素３１４は、このアプローチを用いている場合には、このようなダウンリンク・サブフレームを再度処理する必要はない。したがって、以前にＣＲＣに合格したダウンリンク・サブフレーム（単数または複数）のチャネル推定後、受信構成要素３１４による処理はスキップされ、これによって、節電がなされる（すなわち、より高い節電が得られうる）。
【００６３】
図５を参照して、無線通信環境において、バンドル内のダウンリンク・サブフレーム（単数または複数）の復号をディセーブルすることに関する方法が例示される。説明を単純にする目的で、この方法は、一連の動作として示され説明されているが、この方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、当業者であれば、これら方法はこの代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００６４】
図５を参照して、無線通信環境において、ＣＲＣ失敗を検出すると、バンドルにおける後のダウンリンク・サブフレーム（単数または複数）の復号を終了することを容易にする方法５００が例示されている。５０２では、ラジオ・フレーム内に含まれた複数のダウンリンク・サブフレームを含むバンドルに含まれるダウンリンク・サブフレームが復号されうる。例えば、ラジオ・フレームは、ＬＴＥ  ＴＤＤをサポートしうる。さらに、ＴＤＤ設定に基づくアップリンク・サブフレーム（単数または複数）およびダウンリンク・サブフレーム（単数または複数）のパターンが、ラジオ・フレームとともに利用されうる。さらに、複数のダウンリンク・サブフレームが、バンドルの一部として、１つのアップリンク・サブフレームに関連付けられうる。５０４では、ダウンリンク・サブフレームのＣＲＣ失敗が検出されたか否かに関する判定が有効とされうる。ＣＲＣ失敗が検出された場合、方法５００は、５０６に続く。
【００６５】
５０６では、アップリンク・サブフレームの前のバンドルに含まれる少なくとも１つの後のダウンリンク・サブフレームが存在する場合、この復号が禁止されうる。そして、少なくとも１つの後のダウンリンク・サブフレームが復号されること無く（例えば、ターボ復号器の電源がオフされる等）処理されうる（例えば、ＩＱサンプルが収集され、チャネル推定が実行され、復調が有効とされ、ＬＬＲが計算されうる）。５０８では、複数のダウンリンク・サブフレームのために、単一のＣＲＣ失敗が、アップリンク・サブフレームを介してレポートされうる。例えば、複数のダウンリンク・サブフレームのおのおののＣＲＣステータスが、ＡＮＤされ、単一のＣＲＣ失敗が生成されうる。単一のＣＲＣ失敗がレポートされた場合、バンドルに含まれる複数のダウンリンク・サブフレームが再送信されうる（例えば、バンドルの再送信は、単一のＣＲＣ失敗に応じうる等）。１つの例によれば、バンドルの再送信の復号は、複数のダウンリンク・サブフレームからの最初のダウンリンク・サブフレームで開始しうる。別の例によれば、バンドルの再送信の復号は、以前にＣＲＣを失敗したことを検出された複数のダウンリンク・サブフレームからのダウンリンク・サブフレームで開始しうる。したがって、正しく復号されたダウンリンク・サブフレーム（単数または複数）は、再び復号される必要は無い。
【００６６】
ＣＲＣ失敗が５０４で検出されない場合、方法５００は、５１０に続く。５１０では、バンドル内に後のダウンリンク・サブフレームが存在する場合、これらが復号されうる。さらに、方法５００は５０４に続き、後のダウンリンク・サブフレームのＣＲＣ失敗が検出されたか否かが評価されうる。そうではなく、バンドルが、アップリンク・サブフレームより前に、後のダウンリンク・サブフレームを含んでいない場合（例えば、バンドルにおける後のダウンリンク・サブフレームが欠如している場合）、複数のサブフレームについて、単一のＣＲＣ合格が、アップリンク・サブフレームを介してレポートされうる。
【００６７】
図６を参照して、再送信されたサブフレームのバンドルの復号を容易にする方法５００が例示される。ＵＥからの、受信誤りの通知が、ｅＮＢによって受信されると、ｅＮＢは、バンドルの全体を再送信する。６０２において、再送信されたバンドルが受信されると、６０４において、ＵＥが、バンドルからサブフレームを選択する。その後、６０６において、ＵＥは、この特定のサブフレームが、以前に正しく復号されたものの中にあるか（例えば、このサブフレームに、ＣＲＣ誤りが無いか否か）を判定する。サブフレームが以前に正しく復号されている場合、６０８において、ＵＥは、バンドルに、残りのサブフレームが存在するかを判定する。存在する場合、方法は６０４に戻り、存在しない場合、方法は終了する。６０６において、現在のサブフレームが、正しく復号されたものの中に無いと判定された場合、方法は、図５の５０２に進む。
【００６８】
本明細書に記載された１または複数の実施形態によれば、ダウンリンク・サブフレーム（単数または複数）の復号を禁止することに関して推論がなされうることが認識されるであろう。本明細書で使用されるように、「推論する」または「推論」なる用語は一般に、イベントおよび／またはデータによって取得されたような観察のセットから、システム、環境、および／または、ユーザの状態の推論あるいはそれらに関連する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００６９】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００７０】
当業者であれば、情報および信号は、さまざまな異なる技術および技法のうちの何れかを用いて表されうることを理解するであろう。例えば、上記説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００７１】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記載された。それら機能がハードウェアとしてまたはソフトウェアとして実現されるかは、特定のアプリケーションおよびシステム全体に課せられている設計制約に依存する。当業者であれば、特定のアプリケーションのおのおのに応じて変化する方式で、上述した機能を実現することができる。しかしながら、この適用判断は、本発明の範囲からの逸脱をもたらすものと解釈されるべきではない。
【００７２】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７３】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在しうる。ＡＳＩＣは、ユーザ機器内に存在しうる。あるいは、プロセッサおよび記憶媒体は、ユーザ機器内のディスクリート部品として存在しうる。
【００７４】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2013515450.tif 000003
【図２】
2013515450.tif 000004
【図３】
2013515450.tif 000005
【図４】
2013515450.tif 000006
【図５】
2013515450.tif 000007
【図６】
2013515450.tif 000008
【国際調査報告】
2013515450.tif 000009
2013515450.tif 000010